(57)【要約】  【課題】  カムアロングの構成部品が分離せず、塔上作業時の部品の落下を防止する。【解決手段】  カムアロング１を、鉄塔に結合したワイヤＷに連結するアーム２と、架空地線Ｇを把持するクランプ３と、アーム２にクランプ３を連結するリンク４，５とで構成する。クランプ３は、相互間に架空地線Ｇを挟み込む対向一対の挟持片３ａ，３ｂを有し、アーム２に対して延線方向に相対移動すると、これに伴いリンク４，５により把持、解放動作する。リンク５は左右一対のリンク片５ａ，５ｂで構成し、その一端をアーム２に枢軸８で、中間部を挟持片３ａに保持軸９で、他端を挟持片３ｂに枢軸８で夫々回転自在に支持される。保持軸９は側方に延ばしてあり、リンク片５ｂを保持軸９上でクランプ３から離して配置でき、クランプ３の挟持片３ａ，３ｂ間に架空地線等Ｇを挿入でき、蝶ナット１０で抜け留めする。リンク片５ｂの両端部は、枢軸８に抜き差し自在とする。【選択図】  図２
2005057948.tif 000002
【特許請求の範囲】
【請求項１】
送電鉄塔に結合されたワイヤを連結するアームと、
架空線を内側に受け入れて把持する対向一対の挟持片を備えたクランプと、
前記アームとクランプとを連結して、アームとクランプとの延線方向の相対移動によりクランプの挟持片相互間を開閉するようにアームと挟持片とを連結するリンクとを具備する架線引き留め用カムアロングにおいて、
前記リンクは、アーム及びクランプを枢軸で両側から夫々支持する左右一対のリンク片を備え、
前記枢軸の少なくとも一つは一方のリンク片を前記クランプから離れた位置に移動させて保持可能に側方に延出するように長尺を成し、他の枢軸は当該リンク片に抜き差し自在に係合し、
一方のリンク片をクランプから離して挟持片間に架空線を挿入できる隙間を形成することを特徴とする架線引き留め用カムアロング。
【請求項２】
前記長尺の枢軸には蝶ナットが螺合してリンク片を位置決めすることを特徴とする請求項１に記載の架線引き留め用カムアロング。
【発明の詳細な説明】
【技術分野】
【０００１】
本発明は、既設の架空地線を光ファイバ複合架空地線に張り替える作業において、架空地線又は光ファイバ複合架空地線を鉄塔の碍子連から取り外し又は碍子連に接続する作業の間、鉄塔に架空地線等を仮留めしておくための架線引き留め用カムアロングに関するものである。
【背景技術】
【０００２】
既設の架空地線を撤去したり新設の光ファイバ複合架空地線を引き留めるためには、鉄塔に結合したカムアロングに仮留めし一旦張力を預けてから取り外し又は引き留め作業をを行う。従来のカムアロングは、電線を把持する二つ割りのクサビ部材と、このクサビ部材が挿入される二つ割りのカムアロング本体と、カムアロング本体に一体に結合するアームとを備えている。クサビ部材の外周面はテーパー状に形成され、カムアロング本体の内周面もクサビ部材の外周面に対応するテーパー状に形成されている。電線を挿入したクサビ部材をカムアロング本体に装着して、鉄塔にワイヤ等を介して結合されたアームを引き寄せると、クサビ部材がテーパー面に沿ってカムアロング本体に引き込まれ、電線を強く締め付けて把持する。二つ割りのカムアロング本体は一方の側部で蝶着され、他方の側部が開閉可能に構成され、両者間をボルトなどで締め付けて留めるようになっている。
【特許文献１】特開平０７−１７７６２６号公報
【発明の開示】
【発明が解決しようとする課題】
【０００３】
上記従来のカムアロングにおいては、カムアロング本体とクサビ部材とが別体を成し、クサビ部材に電線をセットしてからカムアロング本体にクサビ部材をセットしてカムアロング本体相互間を留めるので、各部材が分離する構造のために塔上作業時に離脱して落下するおそれがあり、下方に位置する送電線を引き留める碍子連に当たって破損させたり、作業員等に当たる危険性がある。
【課題を解決するための手段】
【０００４】
上記課題を解決するため、本発明においては、送電鉄塔Ｔに結合されたワイヤＷを連結するアーム２と、架空線Ｇを内側に受け入れて把持する対向一対の挟持片３ａ，３ｂを備えたクランプ３とをリンク４，５で連結する。クランプ３の挟持片３ａ，３ｂは、アーム２とクランプ３との延線方向の相対移動により相互間を開閉するようにリンク４，５をアーム２及びクランプ３に回転自在に枢着する。リンク５は、アーム２及びクランプ３を両側から枢軸８，９で支持する左右一対のリンク片５ａ，５ｂを備える。少なくとも一つの枢軸９は一方のリンク片５ｂをクランプ３から離した位置に保持できるように長尺に構成して側方に延出させ、他の枢軸８はリンク片５ｂに抜き差し自在とする。リンク片５ｂをクランプ３から離して配置すれば、クランプ３の挟持片３ａ，３ｂ間に架空地線等Ｇを挿入できる隙間を開けることができる。リンク片５ｂは長尺の枢軸９に蝶ナット１０で位置決めする。
【発明の効果】
【０００５】
本発明においては、工具全体が常時一体を成し、構成部品が分離することがないので、架線をセットする塔上作業時に部品の落下を防止でき、碍子連の破損等を防止することができるし、作業者等の安全性を向上させることができる。
【発明を実施するための最良の形態】
【０００６】
図面を参照して本発明の実施の一形態を説明する。
図１において、送電鉄塔Ｔに張られた既設の架空地線Ｇを光ファイバ複合架空地線に張り替える工事において、架空地線Ｇを碍子連から取り外す作業の間、架空地線Ｇを鉄塔Ｔにカムアロング１で別途仮止めして一旦張力を預ける。カムアロング１は、鉄塔Ｔに結合したワイヤＷに連結されるアーム２と、架空地線Ｇを把持するクランプ３と、アーム２にクランプ３を結合する前後のリンク４，５とを備えている。
【０００７】
図２乃至図５に示すように、アーム２は延線方向にほぼ沿うように伸び、その一端に鉄塔Ｔに連結されたワイヤＷを接続するための引き手２ａを有する。
【０００８】
クランプ３は、内側に架空地線Ｇを受け入れるための長手方向の円弧状溝３ｃを夫々有する対向一対の挟持片３ａ，３ｂを備えている。
【０００９】
リンク４はアーム２及びクランプ３を両側から挟むように左右一対を成し、一端がアーム２に他端がクランプ３の一方の挟持片３ａにボルト６及びナット７で回転自在に夫々連結されている。
【００１０】
リンク５はリンク４と前後に間隔を置いてアーム２に枢着される。リンク５は中間部が屈曲して略くの字状を成し、アーム２及びクランプ３を両側から挟む左右一対のリンク片５ａ，５ｂを備えている。リンク片５ａ，５ｂの一端はアーム２に枢軸８で回転自在に軸支され、中間部は長枢軸９で回転自在に軸支され、他端は挟持片３ｂに枢軸８で回転自在に軸支される。長枢軸９は側方に延出しており、アーム２の反対側のリンク片５ｂは長枢軸９上を移動でき、クランプ３の挟持片３ａ，３ｂ間に架空地線等Ｇを挿入できるようにクランプ３から離して配置できる。リンク片５ｂは長枢軸９に螺合する蝶ナット１０により位置決めできる。リンク片５ｂの両端部は、枢軸８に抜き差し自在に挿通される。
【００１１】
このカムアロング１においては、鉄塔Ｔに連結したワイヤＷを引き手２ａに結合しておき、鉄塔Ｔに張られている架空地線Ｇをクランプ３に把持させて仮留めする。クランプ３は、蝶ナット１０を緩めて長枢軸９上でリンク５ｂを側方へ移動させて、枢軸８から抜けば、図６及び図７に示すように、クランプ３との間隔をあけることができるので、挟持片３ａ，３ａ間に架空地線Ｇを挿入できる。このとき、蝶ナット１０、長枢軸９及びリンク５ｂは他の部材から分離することなく、カムアロング１が一体に維持されて離脱する部品がない。架空地線Ｇをクランプ３内に配置して、リンク５ｂに枢軸８を挿通させつつクランプ３にあてがい、蝶ボルト１０を締め込めば架空地線Ｇがクランプ３から離脱することなく保持される。この状態で鉄塔Ｔ上からワイヤＷを引けば、延線方向にずれて互い違いの状態になっているクランプ３の挟持片３ａ，３ａがアーム２のワイヤＷの移動と共にリンク４，５によって、挟持片３ａ，３ａが互いに軸方向及び間隔方向に接近し、両者間の架空地線Ｇを強く挟み込んで把持する。従って、架空地線Ｇの張力が強いほどクランプ３は架空地線Ｇを強く把持する。鉄塔Ｔに張られた架空地線Ｇはカムアロング１側に張力が預けられるので、碍子連から取り外すことができる。
なお、長枢軸９はリンク５ｂをクランプ３の挟持片３ａに枢着させるものとしたが、これに代えて他の枢軸８を長尺に構成してリンク５ｂを他の挟持片３ｂやアーム２に保持するように構成してもよい。
【産業上の利用可能性】
【００１２】
本発明のカムアロングにおいては、既設架空地線を光ファイバ複合架空架空地線に張り替える作業のみならず、鉄塔に結合したワイヤに延線対象の電線等の架空線を接続して鉄塔に仮留めするときに広く適用することができる。
【図面の簡単な説明】
【００１３】
【図１】本発明に係るカムアロングの使用状態の正面図である。
【図２】カムアロングの斜視図である。
【図３】カムアロングの正面図である。
【図４】カムアロングの平面図である。
【図５】カムアロングの側面図である。
【図６】クランプを開放した状態のカムアロングの正面図である。
【図７】クランプを開放した状態のカムアロングの側面図である。
【符号の説明】
【００１４】
１    カムアロング
２    アーム
３    クランプ
３ａ  挟持片
３ｂ  挟持片
４    リンク
５    リンク
５ａ  リンク片
５ｂ  リンク片
９    長枢軸
１０    蝶ナット
Ｔ    送電鉄塔
Ｇ    架空地線
Ｗ    ワイヤ
【図１】
2005057948.tif 000003
【図２】
2005057948.tif 000004
【図３】
2005057948.tif 000005
【図４】
2005057948.tif 000006
【図５】
2005057948.tif 000007
【図６】
2005057948.tif 000008
【図７】
2005057948.tif 000009